(57)【要約】【課題】設置環境に適した外部要素もしくは設置場所の複数の外部要素に基づいて適切な点灯パターンもしくは意外性のある点灯パターンとなるように制御することができる照明装置、制御方法およびプログラムを提供する。【解決手段】  大きさ、形状、あるいは光色の異なる複数種類のＬＥＤ３０（光源）の光量の強弱に１／ｆゆらぎの特性をもたせて点灯させる第１のパターン、第１のパターンに風量センサ２０で検出した風量の強さに応じて変化させたパターン、あるいは第１のパターンを更にランダムに変化させるランダムパターン（第２のパターン）を生成し、生成されたパターンに基づいてＬＥＤ３０を制御する照明装置１とする。【選択図】図１
2014160553.tif 000002
【特許請求の範囲】
【請求項１】
大きさ、形状、あるいは光色の異なる複数種類の光源を点灯させる照明装置において、
前記光源の光量の強弱に１／ｆゆらぎの特性をもたせて点灯させる第１のパターン、前記第１のパターンに前記光源の外部の変化情報に応じた変化パターン、もしくはランダムな強弱を前記第１のパターンに更に付加した第２のパターンを生成するパターン生成部と、
前記パターン生成部によって生成されたパターンに基づいて前記光源を制御する制御部と、
を有することを特徴とする照明装置。
【請求項２】
請求項１に記載の照明装置であって、
前記照明装置は、前記光源を収納する筐体と、前記筐体を加温する加温部とを有し、
前記制御部は、前記光源の外部の環境に応じて、前記筐体の温度が変化するように前記加温部の作動を制御する
ことを特徴とする照明装置。
【請求項３】
請求項２に記載の照明装置であって、
前記パターン生成部は、前記加温部をランダムに作動させるパターン、一定の規則性に基づいて作動させるパターンあるいは設置環境に適した外部要素の変化に基づいて作動させるパターンを生成し、
前記制御部は、
前記パターン生成部によって生成されたいずれかのパターンに基づいて前記加温部の作動を制御することを特徴とする照明装置。
【請求項４】
請求項２または３に記載の照明装置であって、
芳香を発生させる芳香発生部を有し、
前記パターン生成部は、前記芳香発生部をランダムに作動させるパターン、一定の規則性に基づいて作動させるパターンあるいは設置環境に適した外部要素の変化に基づいて作動させるパターンを生成し、
前記制御部は、
前記パターン生成部によって生成されたいずれかのパターンに基づいて前記芳香発生部の作動を制御することを特徴とする照明装置。
【請求項５】
請求項１から４のいずれか１項に記載の照明装置であって、
装置内部の空気を装置外部へ送風する送風部を有し、
前記パターン生成部は、前記送風部をランダムに作動させるパターン、一定の規則性に基づいて作動させるパターン、送風する風の強弱に１／ｆゆらぎの特性をもたせるゆらぎパターンあるいは設置環境に適した外部要素の変化に基づいて作動させるパターンを生成し、
前記制御部は、
前記光源の外部の変化情報に応じて、前記パターン生成部によって生成されたいずれかのパターンに基づいて前記送風部の作動を制御することを特徴とする照明装置。
【請求項６】
大きさ、形状、あるいは光色の異なる複数種類の光源の点灯を制御する制御方法であって、
前記光源の光量の強弱に１／ｆゆらぎの特性をもたせて点灯させる第１のパターン、前記第１のパターンに前記光源の外部の変化情報に応じた変化パターン、もしくはランダムな強弱を前記第１のパターンに更に付加した第２のパターンを生成するパターン生成ステップと、
前記パターン生成ステップによって生成されたパターンに基づいて前記光源を制御する制御ステップと、
を有することを特徴とする制御方法。
【請求項７】
大きさ、形状、あるいは光色の異なる複数種類の光源を点灯させる照明装置としてコンピュータを機能させるためのプログラムであって、
前記コンピュータを、
前記光源の光量の強弱に１／ｆゆらぎの特性をもたせて点灯させる第１のパターン、前記第１のパターンに前記光源の外部の変化情報に応じた変化パターン、もしくはランダムな強弱を前記第１のパターンに更に付加した第２のパターンを生成するパターン生成手段と、
前記パターン生成手段によって生成されたパターンに基づいて前記光源を制御する制御手段、
として機能させるためのプログラム。
【請求項８】
請求項１から５のいずれか１項に記載の照明装置であって、
前記制御部の制御に基づいて前記光源を駆動させる駆動回路に電力を供給するためのバッテリと、
前記バッテリを充電するための太陽電池と、
照明装置外部の振動を検出するためのジャイロ振動センサとを有することを特徴とする照明装置。
【請求項９】
請求項１〜５、８のいずれか１項に記載の照明装置であって、
装置外部の音を集音することができる集音手段と、
前記集音手段が検出した音成分の音域判定を行う音域判定部とを有し、
前記音域判定部の判定結果に応じて前記光源の点灯パターンを変化させることを特徴とする照明装置。
【請求項１０】
請求項１〜５，８，９のいずれか１項に記載の照明装置であって、
前記複数種類の光源は走査線のように一列に配置されていると共に、前記光源の残像が残るほどの高速移動させられるものであり、
前記パターン生成部は、
前記光源の残像によって文字あるいは模様を空間上に浮かび上がらせるための点滅情報に対して、ランダムに変化させるパターン、一定の規則性に基づいて変化させるパターンあるいは設置環境に適した外部要素の変化に基づいて変化させるパターンを生成し、
前記制御部は、
前記パターン生成部によって生成されたいずれかのパターンに基づいて前記点滅情報を制御する
ることを特徴とする照明装置。
【請求項１１】
請求項１〜５，８〜１０のいずれか１項に記載の照明装置であって、
前記照明装置の外部の変化情報を取得する手段として、風量、温度、圧力、圧電、振動ジャイロ、静電、電圧、電流、酸素濃度、触感、赤外線、マイク、筋電位、光量、脈波、アンテナなどのセンサのいずれか、またはいくつかの必要なものを組み合わせて使用することを特徴とする照明装置。
【発明の詳細な説明】
【技術分野】
【０００１】
本発明は、照明装置、制御方法およびプログラムに関する。
【背景技術】
【０００２】
従来の照明装置に関する発明として、風量の変化を検出して、その変化に応じて光源の光量を変化させる照明装置が知られている。たとえば、風の強さに応じて光源の光量を変化させる照明装置が開示されている（特許文献１）。この特許文献１には人感センサや室温センサなどの風以外の他の外部要素を考慮して、室内での利用時などの風の変化が起きにくい場合でも、常に点灯パターンが変化するように制御することができる照明装置も開示されている（特許文献１の段落００２５参照）。
【０００３】
また、他の照明装置に関する発明として、たとえば光色の異なるランプを有し、温度、湿度、風速および壁面温度のそれぞれを個別に検出すると共に、光色および明るさを変更できる入力装置からの信号を教師信号として、個別に検出した信号とランプの光色および明るさの関係を学習する機能を有する照明装置が知られている（特許文献２参照）。この特許文献２に開示される照明装置では、ランプの点灯状態を居住空間の状態、各人の好み、生活パターンに応じて最適な居住空間を演出することができるとされている（特許文献２の請求項１、段落０００５参照）。
【先行技術文献】
【特許文献】
【０００４】
【特許文献１】特許第３４８９２３１号
【特許文献２】特許第２７６５３０８号
【発明の概要】
【発明が解決しようとする課題】
【０００５】
特許文献１に開示される照明装置では、人感センサや室温センサなどの風以外の外部要因に基づいて点灯パターンが常に変化するように制御している。しかしながら、点灯パターンの変化をもたらすことができるものであればどのような外部要素であってもよいため、このような制御に基づく点灯パターンは必ずしも照明装置の設置環境に適した点灯パターンになるとは限らない。
【０００６】
また、特許文献２には、学習結果に基づいてどのようにランプの点灯状態を自動的に制御するのかについて具体的に記載されていない。また、この特許文献２に開示される照明装置は学習期間が必要であるため、購入直後には居住空間の状態や各人の好み、生活パターンに応じたランプの点灯状態を自動的に変化させることができない。
【０００７】
また、特許文献１および特許文献２に開示される照明装置では、外部環境の状態に応じて点灯状態を変化させることは可能であるが、自然なゆらぎのある点灯パターンとしたり、点灯パターンを外部環境の状況に応じて変化させたり、意外性のある点灯パターンとしたりする状態を意図的に作り出すことはできない。
【０００８】
本発明はこのような状況に鑑みてなされたものであり、その目的は、設置環境に適した外部要素もしくは設置場所の複数の外部要素に基づいて適切な点灯パターンもしくは、意外性のある点灯パターンとなるように制御することができる照明装置、制御方法およびプログラムを提供することである。
【課題を解決するための手段】
【０００９】
本発明の一側面は、照明装置に関するものである。すなわち、本発明の照明装置は、大きさ、形状、あるいは光色の異なる複数種類の光源を点灯させる照明装置において、光源の光量の強弱に１／ｆゆらぎの特性をもたせて点灯させる第１のパターン、第１のパターンに光源の外部の変化情報に応じた変化パターン、もしくはランダムな強弱を第１のパターンに更に付加した第２のパターンを生成するパターン生成部と、パターン生成部によって生成されたパターンに基づいて光源を制御する制御部と、を有することを特徴とする。
【００１０】
また、上述した照明装置であって、光源を収納する筐体と、筐体を加温する加温部とを有し、制御部は、光源の外部の環境に応じて、筐体の温度が変化するように加温部の作動を制御することができる。
【００１１】
また、上述した照明装置であって、パターン生成部は、加温部をランダムに作動させるパターン、一定の規則性に基づいて作動させるパターンあるいは設置環境に適した外部要素の変化に基づいて作動させるパターンを生成し、制御部は、パターン生成部によって生成されたいずれかのパターンに基づいて加温部の作動を制御することができる。
【００１２】
また、上述した照明装置のいずれかであって、芳香を発生させる芳香発生部を有し、パターン生成部は、芳香発生部をランダムに作動させるパターン、一定の規則性に基づいて作動させるパターン、あるいは設置環境に適した外部要素の変化に基づいて作動させるパターンを生成し、制御部は、パターン生成部によって生成されたいずれかのパターンに基づいて芳香発生部の作動を制御することができる。
【００１３】
また、上述した照明装置のいずれかであって、空気を装置外部へ送風する送風部を有し、パターン生成部は、送風部をランダムに作動させるパターン、一定の規則性に基づいて作動させるパターン、送風する風の強弱に１／ｆゆらぎの特性をもたせるゆらぎパターンあるいは設置環境に適した外部要素の変化に基づいて作動させるパターンを生成し、制御部は、パターン生成部によって生成されたいずれかのパターンに基づいて送風部の作動を制御することができる。
【００１４】
また、本発明の一側面は、制御方法に関するものである。すなわち、本発明の制御方法は、大きさ、形状、あるいは光色の異なる複数種類の光源の点灯を制御する制御方法であって、光源の光量の強弱に１／ｆゆらぎの特性をもたせて点灯させる第１のパターン、第１のパターンに光源の外部の変化情報に応じた変化パターン、もしくはランダムな強弱を第１のパターンに更に付加した第２のパターンを生成するパターン生成ステップと、パターン生成ステップによって生成されたパターンに基づいて光源を制御する制御ステップと、を有することを特徴とする。
【００１５】
また、本発明の一側面は、プログラムに関するものである。すなわち、本発明のプログラムは、大きさ、形状、あるいは光色の異なる複数種類の光源を点灯させる照明装置としてコンピュータを機能させるためのプログラムであって、光源の光量の強弱に１／ｆゆらぎの特性をもたせて点灯させる第１のパターン、第１のパターンに光源の外部の変化情報に応じた変化パターン、もしくはランダムな強弱を更に付加した第２のパターンを生成するパターン生成手段と、パターン生成手段によって生成されたパターンに基づいて光源を制御する制御手段、としてコンピュータを機能させるための照明点灯制御プログラムである。
【００１６】
なお、上述した照明装置のいずれかであって、制御部の制御に基づいて光源を駆動させる駆動回路に電力を供給するためのバッテリと、バッテリを充電するための太陽電池と、照明装置外部の振動を検出するためのジャイロ振動センサとを有することもできる。
【００１７】
また、上述した照明装置のいずれかであって、装置外部の音を集音することができる集音手段と、集音手段が検出した音成分の音域判定を行う音域判定部とを有し、音域判定部の判定結果に応じて光源の点灯パターンを変化させるようにすることもできる。
【００１８】
また、上述した照明装置のいずれかであって、複数種類の光源は走査線のように一列に配置されていると共に、光源の残像が残るほどの高速移動させられるものであり、パターン生成部は、光源の残像によって文字あるいは模様を空間上に浮かび上がらせるための点滅情報に対して、ランダムに変化させるパターン、一定の規則性に基づいて変化させるパターンあるいは設置環境に適した外部要素の変化に基づいて変化させるパターンを生成し、制御部は、パターン生成部によって生成されたいずれかのパターンに基づいて点滅情報を制御するようにすることもできる。
【００１９】
また、上述した照明装置のいずれかであって、照明装置の外部の変化情報を取得する手段として、風量、温度、圧力、圧電、振動ジャイロ、静電、電圧、電流、酸素濃度、触感、赤外線、マイク、筋電位、光量、脈波、アンテナなどのセンサのいずれか、またはいくつかの必要なものを組み合わせて使用することもできる。
【発明の効果】
【００２０】
本発明によれば、設置環境に適した外部要素もしくは設置場所の複数の外部要素に基づいて適切な点灯パターンや意外性のある点灯パターンとなるように制御することができる照明装置、制御方法およびプログラムを提供することができる。
【図面の簡単な説明】
【００２１】
【図１】本発明の第１実施の形態に係る照明装置１の機能的構成を示す図である。
【図２】図１に示す照明装置１における制御処理の一例を示すフローチャートである。
【図３】本発明の第２実施の形態に係る照明装置１Ａの機能的構成を示す図である。
【図４】図３に示す照明装置１Ａにおける制御処理の一例を示すフローチャートである。
【図５】本発明の第３実施の形態に係る照明装置１Ｂの機能的構成を示す図である。
【図６】本発明の第４実施の形態に係る照明装置１Ｃの機能的構成を示す図である。
【図７】本発明の第５実施の形態に係る照明装置１Ｄの機能的構成を示す図である。
【図８】本発明の第６実施の形態に係る照明装置１Ｅの機能的構成を示す図である。
【図９】本発明の第７実施の形態に係る照明装置１Ｆの機能的構成を示す図である。
【発明を実施するための形態】
【００２２】
以下、本発明の実施の形態について図面を参照して詳細に説明する。
【００２３】
［第１実施形態の照明装置の概要］
図１は、本発明の第１実施形態に係る照明装置１の機能的構成を示す図である。図１に示す照明装置１では、温度センサ１０および風量センサ２０により検出される設置場所の環境に応じて、ＬＥＤ３０Ａ、ＬＥＤ３０Ｂ、ＬＥＤ３０Ｃ（特に区別する必要がない場合にはこれらをまとめて「ＬＥＤ３０」とする。）の点灯制御を行っている。なお、本実施例におけるＬＥＤ３０は、ＲＧＢの３色の発光ダイオードのいずれかであり、大きさ、形状、および色がそれぞれ異なっているものとして説明するが、すべてのＬＥＤ３０、または一部のＬＥＤ３０が同じ大きさ、形状、色のものであってもよいし、大きさ、形状、および色のすべてが同一のものであってもよい。
【００２４】
照明装置１では、温度センサ１０により検出される温度に応じて、各ＬＥＤ３０の点灯有無、点灯順番、および点灯時間について一定のパターンによって変化するように制御している。また、この照明装置１では、ＬＥＤ３０の光量の強弱について、通常は、ゆらぎの特性（１／ｆ）を持たせて制御すると共に、風量センサ２０により検出される風の強弱が所定の状態の場合にＬＥＤ３０の光量の強弱がその状態にあわせた変化、もしくはランダムに変化するように制御している。以下、具体的に説明する。
【００２５】
[照明装置１の機能的構成]
図１に示すように、照明装置１は、温度センサ１０、一定パターン生成部１１、ＬＥＤ選択部１２、ＬＥＤ駆動回路１３、ランダムパターン生成部１４、１／ｆパターン生成部１５、風量センサ２０、およびＬＥＤ３０を有している。
【００２６】
一定パターン生成部１１は、ＬＥＤ３０の点灯パターン情報を生成する。ここでいう点灯パターン情報には、ＬＥＤ３０Ａ、ＬＥＤ３０Ｂ、ＬＥＤ３０Ｃのそれぞれの点灯有無、点灯順番および点灯時間を示す制御情報などが含まれている。一定パターン生成部１１は、生成した点灯パターン情報をＬＥＤ選択部１２へ供給する。
【００２７】
ＬＥＤ選択部１２は、一定パターン生成部１１から供給された点灯パターン情報に基づいて点灯させるＬＥＤ３０を選択する。そして、ＬＥＤ選択部１２は、選択したＬＥＤ３０を示す情報と点灯パターン情報とを含む制御信号をＬＥＤ駆動回路１３に供給する。
【００２８】
ＬＥＤ駆動回路１３は、たとえば、マイクロコンピュータなどからなり、ＬＥＤ選択部１２から供給される情報に基づいて、ＬＥＤ３０の点灯およびＬＥＤ３０の発光量を制御する制御回路である。また、ＬＥＤ駆動回路１３は、後述するランダムパターン生成部１４および１／ｆパターン生成部１５から供給される、ＬＥＤ３０の光量の変化情報が供給される場合には、これらの情報に基づいてＬＥＤ３０の発光量および発光タイミングを調整する。
【００２９】
ランダムパターン生成部１４は、風量センサ２０が検出した風の強さが所定の状態（たとえば、人間が一般的に強い風あるいは弱い風と感じられる程度の強さ、厳密なものでなくてもよい）のときに、後述する１／ｆパターン生成部１５が生成する１／ｆのパターンで生成されたＬＥＤ３０の光量の強弱情報、もしくは点灯間隔の増減情報を、所定の状態にあわせた変化、もしくはランダムに変化させて求めたＬＥＤ３０の変化情報をＬＥＤ駆動回路１３へと供給する。これにより、照明装置１では、あるときは、ゆらぎの特性（１／ｆ）で制御される点灯パターン（第１のパターン）で制御されるため、より自然界におけるローソクに近い色や炎のようにＬＥＤ３０を点灯させることができる。そして、また別のあるときには、照明装置１では、ゆらぎの特性（１／ｆ）で制御されていたＬＥＤ３０の点灯パターンを、風の強さに応じて変化するパターン、あるいはゆらぎの特性（１／ｆ）で制御される点灯パターンを更にランダムに変化させるパターン（第２のパターン）によって制御されることになる。これにより、自然なゆらぎによる点灯が、風の強さに応じて１／ｆパターンに直接強弱をつけて変化させたり、１／ｆパターンでの点灯間隔を増減させたり、あるいは急にランダムに変化するなどの意外性を持たせることが可能となる。
【００３０】
１／ｆパターン生成部１５は、風量センサ２０が検出した風の強さに応じてゆらぎの特性（１／ｆ）をもたせたＬＥＤ３０の光量の強弱情報を生成する。これにより、点灯させるＬＥＤ３０の光度にゆらぎ特性を与えることができる。すなわち、風が強いとＬＥＤ３０の光量は小さくて暗くなり、逆に風が弱くなるとＬＥＤ３０の光量は大きくて明るくなるように光量の強弱情報を生成する。これにより自然界におけるローソクと同様に風によって炎がゆらぐ様を再現することができる。なお、上述したように、１／ｆパターン生成部１５により生成されたＬＥＤ３０の光量の強弱情報は、ランダムパターン生成部１４による補正によって最終的に求められたＬＥＤ３０の光量の変化情報がＬＥＤ駆動回路１３へと供給される。
【００３１】
風量センサ２０は、ランダムパターン生成部１４および１／ｆパターン生成部１５の両方に照明装置１の外部において検出した風量情報を供給する。
【００３２】
［照明装置１の制御処理例］
図２は、図１に示す照明装置１における制御処理の一例を示すフローチャートである。なお、図２のステップＳ１〜Ｓ３の手続きによる処理は１周期分の処理であり、照明装置１の電源（不図示）がＯＮ状態、あるいは本制御機能がＯＮ状態である限り、この処理は定期的に、あるいは所定のタイミングにて繰り返し実行されるものとする。
【００３３】
照明装置１の電源、あるいは本制御機能がＯＮ状態となると（ＳＴＡＲＴ）、各センサにより外部の状態を検出して外部情報を取得する（ステップＳ１）。具体的には、照明装置１は、温度センサ１０によって装置外部の温度を検出すると共に、風量センサ２０によって装置外部の風量の強さを検出する。
【００３４】
照明装置１は、ステップＳ１の処理が完了すると、ステップＳ１で取得した外部情報、すなわち各センサによる検出情報に基づいてＬＥＤ３０の点灯パターンを生成する（ステップＳ２）。具体的には、照明装置１は、温度センサ１０の検出情報に基づいてＬＥＤ３０の点灯順番や点灯時間などを規定する一定のパターンの生成を行うと共に、風量センサ２０の検出情報に基づいてＬＥＤ３０の光量の強弱をランダムに変化させるランダムパターンの生成と、ＬＥＤ３０の光量の強弱を１／ｆパターンで生成する１／ｆパターンの生成を行う。
【００３５】
照明装置１は、ステップＳ２で生成した各パターンに基づいて、ＬＥＤ３０を制御して点灯させる（ステップＳ３）。具体的には、点灯させるＬＥＤ３０を一定パターンに基づいて選択すると共に、ＬＥＤ３０の光量の強弱について１／ｆパターンで点灯させたり、その検出された風の強さに比例して変化をさせたり、あるいはランダムに変化させながらＬＥＤ３０を点灯させて、制御処理を完了する（ＥＮＤ）。なお、ＬＥＤ３０の光量の強弱について１／ｆパターンで制御する場合と、この１／ｆパターンを更に風の強さに比例させて変化させる場合と、ランダムに変化させる場合の切替はたとえば、風量を予め３段階の状態（たとえば、弱、中、強など）に区分できるように定義しておき、検出された風の強さに応じて、弱の場合には１／ｆパターンでＬＥＤ３０の光量を制御し、中の場合には１／ｆパターンで生成されたものを更に風の強さに比例させて変化するようにＬＥＤ３０の光量を制御し、強の場合にはランダムにＬＥＤ３０の光量を変化させるなどのように切り替えてもよい。
【００３６】
[照明装置１の効果]
図１および図２を参照して説明したように、複数のＬＥＤ３０を複数のセンサ、３つの制御パターン(一定パターン、ランダムパターン、１／ｆパターン)で制御するようにしている。そのため、設置される場所の温度によって、点灯させるＬＥＤ３０が異なるように制御することができる。たとえば、温度の低い場合（たとえば１０度未満など）には青系のＬＥＤ３０を点灯させ、中程度の温度の場合（たとえば１０度以上２５度未満の場合）には、黄系のＬＥＤ３０を点灯させ、温度が高い場合（たとえば、２５度以上）には赤系のＬＥＤ３０を点灯させるというような制御が可能となる。また、この照明装置１では、設置場所の風の強弱に応じて、通常は１／ｆゆらぎの特性（第１のパターン）に基づいてＬＥＤ３０の光量を変化させるが、風量センサ２０が検出した風の強さが所定の状態になると１／ｆゆらぎの特性をその所定の状態に変化させるか、もしくはランダムに変化させたもの（第２のパターン）に基づいて光量を変化させることができる。これにより、外部の環境に応じて、ＬＥＤ３０の光量が自然なゆらぎ特性をもって変化したり、このゆらぎ特性を外部の情報に応じて変化させたり、あるいは急にランダムに変化するように制御することができる。すなわち、この照明装置１は、設置環境に適した外部要素もしくは設置場所の複数の外部要素に基づいて適切な点灯パターンや意外性のある点灯パターンとなるように制御することができる。また、この照明装置１が仮に購入直後であっても、上述した制御をすることができる。
【００３７】
［第２実施形態の照明装置１Ａの概要］
図３は、本発明の第２実施の形態に係る照明装置１Ａの機能的構成を示す図である。なお、第１実施形態で説明した照明装置１と同様の機能については同じ符号を付し、その説明を省略、あるいは簡略化する。図３に示す照明装置１Ａでは、ＬＥＤ３０に加えて、加温部１８と芳香発生部１９を備えており、それぞれ異なる制御パターンで制御している。具体的には、ＬＥＤ３０については、不図示の風量センサやマイクなどにより検出した風量や音声の変位情報に基づいて、１／ｆゆらぎの特性をもつＬＥＤ３０の光量にさらに強弱をつける点灯制御を実行する。そして、加温部１８については、予め決められた一定パターンに基づいて作動制御させて、照明装置１の筐体（不図示）全体を加温する。さらに、芳香発生部１９については、赤外線、振動、人がタッチしたなどの情報に基づいて、ランダムなパターンで作動制御を実行する。なお、芳香発生部１９は、一定パターンによる制御であってもよい。また、加温部１８および芳香発生部１９は、ＯＮ／ＯＦＦスイッチを設けて、ユーザのスイッチ操作によって制御を行うようにしてもよい。以下、具体的に説明する。
【００３８】
［照明装置１Ａの機能的構成］
図３に示すように、照明装置１Ａは、一定パターン生成部１１、ＬＥＤ駆動回路１３、ランダムパターン生成部１４、１／ｆパターン生成部１５に加えて、第１検出部１６と、第２検出部１７と、加温部１８、芳香発生部１９、およびＬＥＤ３０を有している。
【００３９】
第１検出部１６は、たとえば人の接近、温度の変化、振動の有無、タッチなどの所定の状態のいずれか一つまたは複数を検出することができる検出デバイスで構成され、これらの所定の状態を検出すると、検出信号が出力されるようになっている。たとえば、第１検出部１６は、人が照明装置１Ａに近づいたことを検出した場合、人が照明装置１Ａを触ったことを検出した場合、あるいは所定の温度以上（所定の温度以下、所定の温度未満でもよい）になったことを検出した場合に、その検出信号を出力する。なお、第１検出部１６により出力された検出信号は、ランダムパターン生成部１４により生成されるランダムパターンによる制御開始のトリガー信号として用いられる。
【００４０】
第２検出部１７は、たとえば、風量、音声の変位情報などのいずれか、または両方を検出する検出デバイスで構成され、これらの情報を検出すると、検出信号が出力されるようになっている。たとえば、第２検出部１７は、不図示の風量センサやマイクなどにより検出した風量、音量の変位情報を検出した場合に、その検出信号を出力する。なお、第２検出部１７により出力された検出信号は、１／ｆゆらぎの特性をもつＬＥＤ３０の光量の強弱に対して、検出した変位情報の大きさに対応した強弱を与えて、ＬＥＤ駆動回路１３へと供給される。
【００４１】
加温部１８は、たとえば、電熱線、ヒーターなどで構成され、不図示の照明装置１Ａの筐体全体を温める装置である。加温部１８は一定パターン生成部１１により生成されるパターンにより作動制御される。なお、加温部１８は、後述する芳香発生部１９を温めるための装置としてもよい。
【００４２】
芳香発生部１９は、たとえば、アロマオイルなどの精油を蒸発させることにより芳香を発生する装置などである。なお、芳香発生部１９は、第１検出部１６からの検出信号をトリガーとしてランダムパターン生成部１４により生成されるパターンにより作動制御される。なお、芳香発生部１９は、加温部１８によって発生した熱によって芳香を発生させるようにしてもよいし、加温部１８とは独立した熱源により加熱されるようにしてもよい。
【００４３】
［照明装置１Ａの制御処理例］
図４は、図３に示す照明装置１Ａにおける制御処理の一例を示すフローチャートである。なお、図３のステップＳ１１〜Ｓ１３の手続きによる処理は１周期分の処理であり、照明装置１Ａの電源（不図示）がＯＮ状態、あるいは本制御機能がＯＮ状態である限り、この処理は定期的に、あるいは所定のタイミングにて繰り返し実行されるものとする。
【００４４】
照明装置１Ａの電源、あるいは本制御機能がＯＮ状態となると（ＳＴＡＲＴ）、各センサにより外部の状態を検出して外部情報を取得する（ステップＳ１１）。具体的には、照明装置１Ａは、第１検出部１６によって人の接近、温度の変化、振動の有無、タッチなどの所定の状態のいずれか一つまたは複数を検出すると共に、第２検出部１７によって風量、音声の変位情報などのいずれか、または両方を検出する。
【００４５】
照明装置１Ａは、ステップＳ１１の処理が完了すると、ステップＳ１１で取得した各センサによる検出情報に基づいてＬＥＤ３０の点灯パターンの生成処理と、加温部１８を作動させるためのランダムパターンの生成処理と、芳香発生部１９を作動させるための一定パターンの生成処理を実行する（ステップＳ１２）。具体的には、照明装置１Ａでは、ＬＥＤ３０の光量に１／ｆゆらぎの特性に持たせた点灯パターンから、第２検出部１７の検出情報に基づいて強弱を更につけた点灯パターンの生成を行う。また、照明装置１Ａでは、第１検出部１６の検出情報に基づいて芳香発生部１９を作動させるタイミングをランダムに変化させるランダムパターンの生成を行う。さらに、照明装置１Ａでは、加温部１８を作動させるＯＮ／ＯＦＦのタイミングを所定のパターンで制御する所定パターンの生成を実行する。なお、ステップＳ１２におけるこれらの処理順番については、並列的に実行してもよいし、順番に実行してもどちらでもよい。
【００４６】
照明装置１Ａは、ステップＳ１２で生成した各パターンに基づいて、加温部１８、芳香発生部１９およびＬＥＤ３０をそれぞれ制御する（ステップＳ１３）。具体的には、点灯させるＬＥＤ３０の光量について、第２検出部１７の検出情報に基づいて１／ｆパターンでの点灯パターンの制御にさらに強弱をつけて変化させながら、第１検出部１６の検出情報に基づいて芳香発生部１９をランダムに作動させ、一定のパターンで加温部１８を作動させる制御を実行して、処理を完了する（ＥＮＤ）。
【００４７】
[照明装置１Ａの効果]
図３および図４を参照して説明したように、この照明装置１Ａでは、例えば人が近づいたとき、人が照明装置１Ａを触ったとき、外部の温度が所定の温度以上（あるいは所定の温度以下）になったときなどに、ＬＥＤ３０の点灯パターンの制御に加えて、加温部１８や芳香発生部１９についても制御しているため、不図示の照明装置１Ａの筺体が温められて、この照明装置１Ａを触った場合にほんのりと温かみを感じさせることができたり、ランダムなパターンで芳香発生部１９により芳香を発生させて、照明装置１Ａが設置される空間の匂いを変化させることができる。そのため、この照明装置１Ａでは、ＬＥＤ３０の点灯パターンの制御によって視覚による演出以外にも触覚や嗅覚といった他の感覚においても設置場所に適した心地よい空間となるような演出をすることができる。また、この照明装置１Ａが仮に購入直後であっても、上述した制御をすることができる。なお、照明装置１Ａが有するＬＥＤ３０の点灯制御において、上述した照明装置１のように設置環境に適した外部要素もしくは設置場所の複数の外部要素に基づいて適切な点灯パターンや意外性のある点灯パターンとなるように制御してもよい。
【００４８】
［第３実施形態の照明装置１Ｂの機能的構成］
図５は、本発明の第３実施の形態に係る照明装置１Ｂの機能的構成を示す図である。なお、第１〜第２実施形態で説明した各照明装置と同様の機能については同じ符号を付し、その説明を省略、あるいは簡略化する。図５に示す照明装置１Ｂは、太陽電池２２およびバッテリ２３を有し、設置場所が暗くなるとＬＥＤ３０を点灯させ、明るくなるとＬＥＤ３０を消灯させるという一定の点灯パターンでＬＥＤ３０を制御しつつ、太陽電池２２でバッテリ２３に電力を蓄えるように制御を行っている。
【００４９】
さらに、照明装置１Ｂの点灯制御では、通常は１／ｆパターンのゆらぎ特性を持たせて点灯させ、ジャイロ振動センサ２１で検出される外部入力情報に応じて、この１／ｆのパターンの強弱を更にランダムに変化させた点灯パターンによって制御を行うことや、ジャイロ振動センサ２１の入力情報に応じて１／ｆパターンの直接制御を行うことができる。たとえば、ジャイロ振動センサ２１からの入力情報から所定の振動の強さである場合に、１／ｆパターン生成部１５により生成された１／ｆのパターンの強弱をランダムパターン生成部１４により更にランダムに変化させた点灯パターンとしてＬＥＤ駆動回路１３を駆動させ、それ以外の場合には、１／ｆパターン生成部１５により生成された１／ｆのパターンによってＬＥＤ駆動回路１３を駆動させるように制御することができる。なお、照明装置１Ｂは、たとえば、不図示の照度センサなどにより装置外部の明るさを検出することで、ＬＥＤ３０の点灯と消灯の制御をすることができる。しかしながら、照明装置１Ｂでは、所定の時刻をＬＥＤ３０の点灯と消灯を切り替えタイミングとして設定するようにしてもよい。さらに不図示の圧電素子などにより太陽電池で発電できない夜間について、ジャイロ振動センサ２１と圧電素子を連動しながら発電を行うようにしてもよい。
【００５０】
[照明装置１Ｂの効果]
図５を参照して説明したように、この照明装置１Ｂでは、外部環境に応じてＬＥＤ３０の点灯制御をする他に、太陽電池２２でバッテリ２３に電力を自ら蓄えるように制御することができる。そのため、たとえば、このような照明装置１Ｂを街灯として採用することも可能である。なお、照明装置１ＢのＬＥＤ３０の点灯制御において、上述した照明装置１のように設置環境に適した外部要素もしくは設置場所の複数の外部要素に基づいて適切な点灯パターンや意外性のある点灯パターンとなるように制御してもよい。
【００５１】
［第４実施形態の照明装置１Ｃの機能的構成］
図６は、本発明の第４実施の形態に係る照明装置１Ｃの機能的構成を示す図である。なお、第１〜３実施形態で説明した各照明装置と同様の機能については同じ符号を付し、その説明を省略、あるいは簡略化する。図６に示す照明装置１Ｃでは、マイク２４により照明装置１Ｃの周辺にいる人のしゃべり声などを集音すると共に、集音した音域を音域判定部２５の判定に応じて、制御するＬＥＤをＬＥＤ３０ＡまたはＬＥＤ３０Ｂのいずれかを選択するようにしている。
【００５２】
[照明装置１Ｃの効果]
図６を参照して説明したように、音域判定部２５の判定に応じて、制御するＬＥＤ３０をＬＥＤ３０ＡまたはＬＥＤ３０Ｂのいずれかを選択するようにしているので、たとえば、照明装置１Ｃの周辺にいる男女の声質の違いにより点灯制御するＬＥＤ３０を異なるものとすることができる。たとえば、右と言えば、右と発話した者からみて右側に設置されているＬＥＤ３０が、左と言えば左と発話した者からみて左側に設置されているＬＥＤ３０が点灯させるように制御することができる。また、ＬＥＤ３０ＡまたはＬＥＤ３０Ｂに３色ＬＥＤを利用し、マイク２４で検出した声から赤とか青などの色を特定することにより、その特定された色に対応した色でＬＥＤ３０を点灯させるなどの対話側の照明装置１Ｃとすることができる。なお、照明装置１ＣのＬＥＤ３０の点灯制御において、上述した照明装置１のように設置環境に適した外部要素もしくは設置場所の複数の外部要素に基づいて適切な点灯パターンや意外性のある点灯パターンとなるように制御してもよい。
【００５３】
［第５実施形態の照明装置１Ｄの概要および効果］
図７は、本発明の第５実施の形態に係る照明装置１Ｄの機能的構成を示す図である。なお、第１〜４実施形態で説明した各照明装置と同様の機能については同じ符号を付し、その説明を省略、あるいは簡略化する。図７に示す照明装置１Ｄは、図３で説明したＬＥＤ駆動回路１３、１／ｆパターン生成部１５、第１検出部１６、第２検出部１７、芳香発生部１９、ＬＥＤ３０に加えて、複数の出力デバイスを切り替えるための複合部３１、音を出力するスピーカ３４、風を出力するＦＡＮ３５を有している。この照明装置１Ｄでは、ＬＥＤ３０の点灯以外の出力に対しても、１／ｆゆらぎの特性に複数のセンサの検出情報に基づく強弱を更につけたパターンで出力することができる。なお、照明装置１ＤのＬＥＤ３０の点灯制御、ＬＥＤ３０以外の出力デバイスの出力制御において、上述した照明装置１のように設置環境に適した外部要素もしくは設置場所の複数の外部要素に基づいて適切な出力パターンや意外性のある出力パターンとなるように制御してもよい。
【００５４】
［第６実施形態の照明装置１Ｅの概要および効果］
図８は、本発明の第６実施の形態に係る照明装置１Ｅの機能的構成を示す図である。なお、第１〜５実施形態で説明した各照明装置と同様の機能については同じ符号を付し、その説明を省略、あるいは簡略化する。照明装置１Ｅは、図８に示すように、ＬＥＤ３０Ａ，ＬＥＤ３０Ｂのそれぞれを駆動するためのＬＥＤ駆動回路１３と、ＬＥＤ３０Ａ，ＬＥＤ３０Ｂの点灯パターンを生成する１／ｆパターン生成部１５に加え、静電容量を検知する静電気センサあるいは脈波を検知する脈波センサなどからなる検出デバイス３６，３７と、これらの検出デバイス３６，３７が検出した情報について所定の判定を行って、その判定結果に基づいて１／ｆパターン生成部１５が生成する１／ｆ点灯パターン情報に強弱を付加して、ＬＥＤ駆動回路１３へ入力する判定部３８，３９とを備える。照明装置１Ｅは、検出された静電容量あるいは脈波が所定の値を超えている場合に、ＬＥＤ３０ＡもしくはＬＥＤ３０Ｂの点灯制御を実行するというものである。このような構成の照明装置Ｅは、たとえば、検出デバイスを男女の異なる者がそれぞれの検出デバイス３６，３７を触るなどして、相性判断を行うような玩具とすることができる。たとえば照明装置Ｅでは、相性診断の結果としてＬＥＤ３０ＡもしくはＬＥＤ３０Ｂの点灯制御をする場合に、ゆらぎ特性のある点灯制御により自然なゆらぎが付加された点灯パターンでＬＥＤ３０ＡもしくはＬＥＤ３０Ｂを点灯させることができる。なお、照明装置ＥのＬＥＤ３０の点灯制御において、上述した照明装置１のように設置環境に適した外部要素もしくは設置場所の複数の外部要素に基づいて適切な点灯パターンや意外性のある点灯パターンとなるように制御してもよい。
【００５５】
［第７実施形態の照明装置１Ｆの概要および効果］
図９は、本発明の第７実施の形態に係る照明装置１Ｆの機能的構成を示す図である。なお、第１〜５実施形態で説明した各照明装置と同様の機能については同じ符号を付し、その説明を省略、あるいは簡略化する。図９に示す照明装置１Ｆは、ＬＥＤ駆動回路４１、モータ回転部４２、パターン生成部４３および複数のＬＥＤ（ＬＥＤ１〜ｎ、以下、これらをＬＥＤ４４という）から構成される。この照明装置１Ｆは、一列に並んだ走査線のようにＬＥＤ４４を配置させると共に、モータ回転部４２により残像が残るほどの高速でＬＥＤ４４を移動させることによって文字や模様を空間上に浮かび上がらせる、いわゆるバーサライタのような装置である。そして、パターン生成部４３は、空間上に浮かび上がらせる文字および模様の点滅情報と共に、１／ｆゆらぎの特性を持たせた点滅パターンを生成する。これにより、照明装置１Ｆでは、空間上に浮かび上がらせる文字や模様について、自然なゆらぎが付加された点滅パターンとすることができる。なお、照明装置Ｆの点滅制御において、上述した照明装置１のように設置環境に適した外部要素もしくは設置場所の複数の外部要素に基づいて適切な点滅パターンや意外性のある点滅パターンとなるように制御してもよい。
【００５６】
［変形例］
以上においては、本発明の第１〜第７実施形態に係る照明装置を例として説明したが、本発明は上述の実施の形態に限定されるものではなく、その要旨を逸脱しない範囲で構成要素を変形して実施することができる。たとえば、光源として発光ダイオードを用いているが、ＥＬ（Ｅｌｅｃｔｒｏ  Ｌｕｍｉｎｅｓｅｓｃｅｎｔ）素子や光ファイバなどを用いてもよいし、各実施形態の構成要素を必要に応じて増減してもよいし、種々組み合わせてもよい。また外部の変化情報を取得する手段として、風量、温度、圧力、圧電、振動ジャイロ、静電、電圧、電流、酸素濃度、触感、赤外線、マイク、筋電位、光量、脈波、アンテナなどのセンサのいずれか、またはいくつかの必要なものを組み合わせて使用してもよい。
【００５７】
また、上述した各照明装置における一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータにインストールすることで、各種の機能を実行することが可能となる。
【００５８】
なお、専用のハードウェアに組み込まれているコンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。さらに、プログラムは、遠方のコンピュータに転送されて実行されるものであっても良い。また、プログラムを実行するハードウェアとして、専用のハードウェアに組み込まれているコンピュータの他に、汎用コンピュータなどであっても良い。
【００５９】
この発明は、上述した実施の形態そのままに限定されるものではなく、実施段階ではその要旨を逸脱しない範囲で構成要素を変形して具体化したり、上述した実施の形態に開示されている複数の構成要素を適宜組み合わせたりすることにより種々の発明を形成できる。たとえば、各実施の形態に示されるそれぞれの構成要素を組み合わせてもよいし、各実施の形態を構成する全構成要素から幾つかの構成要素を削除したもの同士を組み合わせてもよい。さらに、異なる実施の形態に亘る一部の構成要素を適宜組み合わせても良い。
【符号の説明】
【００６０】
１，１Ａ〜１Ｆ…照明装置、１０…温度センサ、１１…一定パターン生成部、１２…ＬＥＤ選択部、１３…ＬＥＤ駆動回路、１４…ランダムパターン生成部、１５…１／ｆパターン生成部、１６…第１検出部、１７…第２検出部、１８…加温部、１９…芳香発生部、２０…風量センサ、２１…ジャイロ振動センサ、２２…太陽電池、２３…バッテリ、２４…マイク、２５…音域判定部、３０，３０Ａ〜３０Ｃ…ＬＥＤ、３１…複合部、３４…スピーカ、３６…検出デバイス、３８…判定部、４１…ＬＥＤ駆動回路、４２…モータ回転部４３…パターン生成部
【図１】
2014160553.tif 000003
【図２】
2014160553.tif 000004
【図３】
2014160553.tif 000005
【図４】
2014160553.tif 000006
【図５】
2014160553.tif 000007
【図６】
2014160553.tif 000008
【図７】
2014160553.tif 000009
【図８】
2014160553.tif 000010
【図９】
2014160553.tif 000011